(57)【要約】【課題】シートの破断の抑制及び容易な交換が可能であり、飼い主が快適に使用できるペット用トイレを提供する。【解決手段】ペットの排泄物を処理する帯状の処理シートと、前記処理シートを巻き出す巻出しローラーと、前記処理シートが敷設される台座と、前記排泄物を回収する排泄物回収部と、を備え、  前記排泄物回収部は、尿を回収する巻取りローラーと、糞を回収する糞回収部と、を有することを特徴とする。【選択図】図１
2019122299.tif 000002
【特許請求の範囲】
【請求項１】
ペットの排泄物を処理する帯状の処理シートと、前記処理シートを巻き出す巻出しローラーと、前記処理シートが敷設される台座と、前記排泄物を回収する排泄物回収部と、を備え、
前記排泄物回収部は、尿を回収する巻取りローラーと、糞を回収する糞回収部と、を有することを特徴とするペット用トイレ。
【請求項２】
前記糞回収部には、前記処理シートと幅方向で接するブレードが設けられていることを特徴とする、請求項１に記載のペット用トイレ。
【請求項３】
前記糞回収部は、略透明であることを特徴とする、請求項１又は２に記載のペット用トイレ。
【請求項４】
前記巻出しローラー及び前記巻取りローラーを同一空間内に収容する筺体を備えていることを特徴とする、請求項１〜３の何れかに記載のペット用トイレ。
【請求項５】
前記筺体は、前記巻出しローラー及び前記巻取りローラーの出し入れを行うための開放口が形成されてなることを特徴とする、請求項４に記載のペット用トイレ。
【請求項６】
前記筺体は、前記処理シートの幅方向と略平行に、かつ前記台座に対して略垂直に立設された側壁部を有し、
前記側壁部の上方には、前記処理シートが挿通される挿通口が設けられていることを特徴とする、請求項４又は５に記載のペット用トイレ。
【請求項７】
前記台座は、前記側壁部に対して着脱可能であることを特徴とする、請求項６に記載のペット用トイレ。
【請求項８】
前記台座に負荷された重量により、排泄物の有無を感知する感圧センサを備えていることを特徴とする、請求項１〜７の何れかに記載のペット用トイレ。
【請求項９】
前記処理シートが前記巻取りローラーに巻き取られた長さを読み取る読み取りセンサを備えていることを特徴とする、請求項１〜８の何れかに記載のペット用トイレ。
【請求項１０】
前記処理シートの交換時期を通知する通知手段を備えていることを特徴とする、請求項１〜９の何れかに記載のペット用トイレ。
【発明の詳細な説明】
【技術分野】
【０００１】
本発明は、巻き取り式のペット用トイレに係るものである。
【背景技術】
【０００２】
従来から、屋内用の犬や猫等ペットの排泄物を処理する場合、内部に新聞や布等の処理シートが予め敷設された所定の容器（便器）が用いられてきた。
【０００３】
飼い主は、ペットを躾けることで、容器（便器）内部に排泄させ、床面の汚染を防止するとともに、容器（便器）内部に糞尿等排泄物が排泄された際には、排泄物を処理シートと共にまとめて廃棄した後、新たな処理シートに交換する。
【０００４】
しかし、飼い主にとって、このような作業は不衛生であり、労力を要するという問題点があった。
【０００５】
このような問題点を解決するために、特許文献１には、ペットの排泄後に、効率よく、かつ衛生的に糞尿を処理することが可能なペット用トイレ及びそれに用いる処理シートが記載されている。
【０００６】
また、特許文献２には、処理シートの補給作業を容易に行うことができるとともに、処理シートが残存している状態でも新規の処理シートを補給し、連続的に使用することができるペット用トイレが記載されている。
【先行技術文献】
【特許文献】
【０００７】
【特許文献１】特開２００２−３４３７３号公報
【特許文献２】特許第４３８８９１３号公報
【発明の概要】
【発明が解決しようとする課題】
【０００８】
しかしながら、特許文献１に記載のペット用トイレは、手動で処理シートを引き出す構成のため、例えば、飼い主が家を留守にする場合に、排泄後の処理シートを交換できず、処理シート上の糞尿が長時間放置されてしまうため、悪臭が漂ってしまうという問題点を有している。
【０００９】
また、特許文献２に記載のペット用トイレは、糞を処理シート間に押し潰す形で巻き回して回収するため、糞の硬さによっては押し潰されず、処理シートが破断してしまう恐れがある。また、糞と尿を一箇所に巻き回して回収するため、使用後の処理シートの重量が増大し易く、交換時の労力が増すばかりか、強い悪臭の発生も懸念される。
【００１０】
本発明は上記のような実状に鑑みてなされたものであり、処理シートの破断の抑制及び容易な交換が可能であり、飼い主が快適に使用できるペット用トイレを提供することを課題とする。
【課題を解決するための手段】
【００１１】
上記課題を解決するために、本発明は、
ペットの排泄物を処理する帯状の処理シートと、前記処理シートを巻き出す巻出しローラーと、前記処理シートが敷設される台座と、前記排泄物を回収する排泄物回収部と、を備え、
前記排泄物回収部は、尿を回収する巻取りローラーと、糞を回収する糞回収部と、を有することを特徴とする。
【００１２】
本発明によれば、糞は、巻取りローラーに巻き回されず、糞回収部に回収されるため、処理シートの破断を抑制することが可能となる。また、使用後の処理シートの重量も増大しにくくなるため、処理シートの交換を容易に行うことが可能となる。さらに、糞と尿が別々に回収されることで、悪臭の発生も抑制することが可能となる。
【００１３】
本発明の好ましい形態では、前記糞回収部には、前記処理シートと幅方向で接するブレードが設けられていることを特徴とする。
【００１４】
このような構成とすることで、例えば水分量が多く、処理シートに吸着してしまうような糞であっても、手で触れることなく処理シートから引き剥がし、糞回収部に収容させることが可能となる。
【００１５】
本発明の好ましい形態では、前記糞回収部は、略透明であることを特徴とする。
【００１６】
このような構成とすることで、糞回収部の内部の糞の有無を外側から容易に視認することが可能となる。
【００１７】
本発明の好ましい形態では、前記巻出しローラー及び前記巻取りローラーを同一空間内に収容する筺体を備えていることを特徴とする。
【００１８】
このような構成とすることで、ペット用トイレ全体をコンパクトにすることができ、扱いやすさ及び設置位置の自由度を向上させることが可能となる。
【００１９】
本発明の好ましい形態では、前記筺体は、前記処理シートの幅方向と略平行に、かつ前記台座に対して略垂直に立設された側壁部を有し、前記側壁部の上方には、前記処理シートが挿通される挿通口が設けられていることを特徴とする。
【００２０】
このような構成とすることで、側壁部を覆うようにして処理シートを装着させることができる。これにより、壁に向かって尿をかける習性のあるペットの尿を、処理シートにより受け止めて回収することが可能となる。
【００２１】
本発明の好ましい形態では、前記筺体は、前記巻出しローラー及び前記巻取りローラーの出し入れを行うための開放口が形成されてなることを特徴とする。
【００２２】
このような構成とすることで、処理シートの交換を、簡便な動作で手早く行うことが可能となる。
【００２３】
本発明の好ましい形態では、前記台座は、前記側壁部に対して着脱可能であることを特徴とする。
【００２４】
このような構成とすることで、処理シートの台座への装着や台座の清掃を容易に行うことが可能となる。
【００２５】
本発明の好ましい形態では、前記台座に負荷された重量により、排泄物の有無を感知する感圧センサを備えていることを特徴とする。
【００２６】
このような構成とすることで、飼い主が家を留守にしている場合等、長時間ペットを放置する場合であっても、自動で排泄物を排泄物回収部に回収させることが可能となる。
【００２７】
本発明の好ましい形態では、前記処理シートが前記巻取りローラーに巻き取られた長さを読み取る読み取りセンサを備えていることを特徴とする。
【００２８】
このような構成とすることで、処理シートの無駄遣いを防止することが可能となる。
【００２９】
本発明の好ましい形態では、前記処理シートの交換時期を通知する通知手段を備えていることを特徴とする。
【００３０】
このような構成とすることで、飼い主は、処理シートの状態を確認することなく、交換の要否を即座に視認することが可能となる。
【発明の効果】
【００３１】
本発明によれば、シートの破断の抑制及び容易な交換が可能であり、飼い主が快適に使用できるペット用トイレを提供することができる。
【図面の簡単な説明】
【００３２】
【図１】本発明の実施形態に係るペット用トイレの概略斜視図である。
【図２】本発明の実施形態に係るペット用トイレのＡ−Ａ線断面図である。
【図３】本発明の実施形態に係るペット用トイレの上面図である。
【図４】本発明の実施形態に係るペット用トイレにおける糞回収部及びフロントフレームの概略斜視図である。
【図５】本発明の実施形態に係るペット用トイレにおける処理シート、巻出しローラー及び巻取りローラーの概略斜視図である。
【図６】本発明の実施形態に係るペット用トイレにおける組み立て説明図である。
【図７】本発明の実施形態に係るペット用トイレにおける処理シートの装着手順の説明図である。
【図８】本発明の実施形態に係るペット用トイレにおける使用方法の説明図である。
【図９】本発明の実施形態に係るペット用トイレにおける使用方法の説明図である。
【発明を実施するための形態】
【００３３】
以下、図１〜図９を用いて、本発明の実施形態に係るペット用トイレについて説明する。なお、以下に示す実施形態は本発明の一例であり、本発明を以下の実施形態に限定するものではない。
【００３４】
図１に示すように、本発明の実施形態に係るペット用トイレは、処理シート１と、処理シート１が敷設される略長方形板状の台座２と、台座２が載置されるセンターフレーム３と、内部に処理シート１が収納される略直方体状の筺体４と、糞回収部５と、糞回収部５が載置されるフロントフレーム６と、モータ部７と、読み取りセンサ８と、発光体９と、制御部１０と、土台１１と、を備えている。
【００３５】
処理シート１の材料としては、紙製材料等、吸水性を有する材料が好適に用いられる。
台座２、筺体４及び土台１１の材料としては、木材が好適に用いられるが、金属や合成樹脂等、様々な材料も当然に適用することができる。
センターフレーム３及びフロントフレーム６の材料としては、金属や合成樹脂が好適に用いられる。
糞回収部５の材料としては、合成樹脂が好適に用いられる。
【００３６】
なお、処理シート１と台座２の境界を明確にする便宜上、処理シート１は、台座２の上面で、一点鎖線により仮想的に切除されている。
また、以下説明の便宜上、図１に示すＡ−Ａ線方向を前後方向、土台１１と平行な平面内において前後方向と直交する方向を左右方向とする。さらに、前後方向において、糞回収部５側を前方、筺体４側を後方、左右方向において、モータ部７、読み取りセンサ８、発光体９及び制御部１０が設けられている側を左方、左方に対向する側を右方と称することとする。
【００３７】
台座２の上面には、左右方向に間隔を置いて、かつ処理シート１と重ならないようにして、一対の係止孔Ｈが設けられている。また、筺体４は、処理シート１の幅方向と略平行に、かつ台座２に対して略垂直に立設された側壁部４ａを有しており、側壁部４ａの上部には、左右方向に間隔を置いて、係止孔Ｈに挿通される一対の係止突起Ｐが設けられている。
このような構成により、台座２を、後方側の短辺を軸に、筺体４側に回動させることで、一対の係止孔Ｈ及び一対の係止突起Ｐにより、土台１１に略垂直な状態で、筺体４に係止させることができる。
【００３８】
センターフレーム３は、ベース部３ａ（図３参照）と、ベース部３ａの左右両端に立設された立設部３ｂと、を有している。
【００３９】
モータ部７は、糞回収部５の開閉を行う第一モータ７ａと、処理シート１の巻き出し及び巻き取りを行う第二モータ７ｂと、を有している。
【００４０】
モータ部７、読み取りセンサ８及び発光体９は、接続ケーブルＣを介して、制御部１０に電気的に接続されている。
なお、第一モータ７ａと連結されている接続ケーブルＣは、立設部３ｂ及び筺体４の前方側の側面を前後方向に貫通する貫通孔Ｔに挿通され、筺体４の左側面近傍に引き出されることで、制御部１０に連結されている。
【００４１】
図２に示すように、筺体４は、側壁部４ａと、上面に形成された開放口４ｂと、側壁部４ａと対向する側面に形成された開放口４ｃと、を有している。
【００４２】
側壁部４ａには、処理シート１が挿通される、上部挿通口４ａ１及び下部挿通口４ａ２が設けられている。
【００４３】
筺体４の内部には、使用前の処理シート１が巻き回された巻出しローラーＲ１と、使用後の処理シートを巻き取る巻取りローラーＲ２が設けられている。また、処理シート１の張力を適切に保持し、巻き取り動作を円滑に行うための細長円柱状の第一補助ローラーｒ１及び第二補助ローラーｒ２が、一対の第一ブラケットＢ１により、下部挿通口４ａ２の近傍に回転自在に設けられている。
【００４４】
図３は、台座２を、係止孔Ｈ及び係止突起Ｐを用いて、筺体４に係止させた状態での、本実施形態に係るペット用トイレの上面図である。なお、説明の便宜上、処理シート１、巻出しローラーＲ１及び巻取りローラーＲ２は、省略している。
【００４５】
図３に示すように、センターフレーム３において、ベース部３ａの上面には、四隅に感圧センサＳが設けられており、各感圧センサＳは、接続ケーブルＣを介して、制御部１０に電気的に接続されている。
なお、各感圧センサＳに連結されている接続ケーブルＣは、左方の立設部３ｂの内側面に設けられ、貫通孔Ｔと連通する小孔（図示せず）に挿通され、筺体４の左側面近傍に引き出されることで、制御部１０に連結されている。
【００４６】
各感圧センサＳは、犬や猫等ペットの、台座２への乗降動作を感知する。
詳述すれば、各感圧センサＳは、台座２に所定の重量が負荷された瞬間（ペットが台座２に乗った瞬間）を感知してから、所定の時間が経過し、この重量が除荷された瞬間（ペットが台座２から降りた瞬間）を感知すると、制御部１０へ信号を発信する構成となっている。
なお、各感圧センサＳは、重量が除荷された瞬間を感知して信号を発信するため、例えばペットが台座２の上面で寝ているような場合には、信号は発信されない。また、上記した所定の時間を、例えば数十秒程度に設定することで、ペットが一瞬だけ台座２の上面を通過した場合には、信号が発信されない構成とすることができる。
【００４７】
台座２の一方の短辺側端面には、巻き取り動作を円滑に行うための細長円柱状の第三補助ローラーｒ３が、一対の第二ブラケットＢ２により、回転自在に設けられている。
【００４８】
第二補助ローラーｒ２の左端には、読み取りマークＭが、一定の間隔を空けて、第二補助ローラーｒ２の全周にわたって複数設けられている。そして、読み取りセンサ８は、筺体４の左側面外側から左側面内側に突設されており、読み取り部８ａが、第二補助ローラーｒ２の左端と対峙するように構成されている。
このような構成により、読み取りセンサ８は、第二補助ローラーｒ２の左端に設けられた読み取りマークＭを、読み取り部８ａにより読み取り、処理シート１の引き出された長さを読み取ることができる。
【００４９】
図４（ａ）は、糞回収部５を左後方から見た概略斜視図、図４（ｂ）は、糞回収部５及びフロントフレーム６を右前方から見た概略斜視図である。
【００５０】
図４（ａ）及び図４（ｂ）に示すように、糞回収部５は、本体部５ａと、ドア部５ｂと、処理シート１に排泄された糞Ｄを処理シート１から切り離すためのブレード５ｃと、回収トレイ５ｄと、を有している。
なお、図４（ａ）においては、説明の便宜上、回収トレイ５ｄは省略している。
【００５１】
本体部５ａは、全体が略透明に構成されている。また、底面には、フロントフレーム６に対する載置位置を保持し、特に前後方向の動きを阻止するための一対の係止孔５ａ１が、左右方向に間隔を置いて設けられている。また、左右両側面には、フロントフレーム６に対する載置位置を保持し、特に上下方向の動きを阻止するための一対の突条５ａ２が設けられている。また、前方には、回収トレイ５ｄが挿通される開口部５ａ３が設けられている。
【００５２】
ドア部５ｂは、全体が略透明に構成されており、本体部５ａの左右両側面に架設されている。また、ドア部５ｂの左側面には、後述する第一モータ７ａに取り付けられるギアＧ１と噛合するように構成されるギアＧ２が、本体部５ａの左側面を介して止着されている。
【００５３】
ブレード５ｃは、本体部５ａの左右両側面の下部に架設されている。
回収トレイ５ｄには、本体部５ａに対する出し入れを簡便に行うための持ち手部５ｄ１が設けられている。
【００５４】
フロントフレーム６は、ベース部６ａと、ベース部６ａの左右両端に立設された立設部６ｂと、を有している。
【００５５】
ベース部６ａの上面には、一対の係止孔５ａ１に係止される一対の係止舌片６ａ１が、左右方向に間隔を置いて設けられている。
【００５６】
立設部６ｂの対向する側面には、一対の突条５ａ２が嵌め合わされる一対の係止溝６ｂ２が設けられている。また、左方の立設部６ｂにおいて、係止溝６ｂ２が設けられている側面には、第一モータ７ａに取り付けられたギアＧ１が露出している。また、ギアＧ１は、第一モータ７ａの回転に同期して回転する。
このような構成により、第一モータ７ａの回転が、ギアＧ１及びギアＧ２を介してドア部５ｂに伝達され、第一モータ７ａの回転に同期して、ドア部５ｂの開閉が行われる。
【００５７】
図４（ｂ）に示すように、回収トレイ５ｄは、開口部５ａ３に挿通させることで、本体部５ａに、引き出し自在に取り付けられる構成となっている（矢印ａ参照）。また、糞回収部５を、一対の突条５ａ２が一対の係止溝６ｂ２に嵌め合わされるように摺動させていくことで、ギアＧ１とギアＧ２が噛合すると共に、一対の係止舌片６ａ１が一対の係止孔５ａ１に係止される（矢印ｂ参照）。こうすることで、糞回収部５の、フロントフレーム６に対する載置位置が保持される構成となっている。
【００５８】
なお、載置位置が保持された状態で、糞回収部５から回収トレイ５ｄを取り外し、一対の係止舌片６ａ１を押し下げ、本体部５ａを前方側に摺動させることで、糞回収部５を、容易にフロントフレーム６から取り外すことができる。これにより、糞回収部５の清掃を容易に行うことができる。
【００５９】
上記のように、各部材を組み立てることで、糞回収部５及びフロントフレーム６は、図１に示すような状態となる。また、ブレード５ｃは、処理シート１と幅方向で接している状態となる（図８及び図９参照）。
【００６０】
図５は、処理シート１が巻き回された巻出しローラーＲ１及び処理シート１が巻き回される前の巻取りローラーＲ２を左前方から見た分解斜視図である。
【００６１】
図５（ａ）に示すように、巻出しローラーＲ１は、筒状体Ｒ１１と、筒状体Ｒ１１の両端に取り付けられる略円盤状の一対のキャップＲ１２と、を有している。
【００６２】
一対のキャップＲ１２には、後述する一対の支持部材Ｓ１に載置するための筒状突起Ｒ１２ａが設けられている。また、左方のキャップＲ２２には、筒状突起Ｒ２２ａと略同軸上に、後述する第二モータ７ｂに取り付けられるギアＧ３と噛合するように構成されるギアＧ４が止着されている。
【００６３】
図５（ｂ）に示すように、巻取りローラーＲ２は、巻出しローラーＲ１と同様に、筒状体Ｒ２１と、筒状体Ｒ２１の両端に取り付けられる略円盤状の一対のキャップＲ２２と、を有している。
【００６４】
一対のキャップＲ２２には、巻出しローラーＲ１と同様に、後述する一対の支持部材Ｓ２に載置するための筒状突起Ｒ２２ａが設けられ、左方のキャップＲ２２には、筒状突起Ｒ２２ａと略同軸上に、後述する第二モータ７ｂに取り付けられるギアＧ３と噛合するように構成されるギアＧ４が止着されている。
【００６５】
図６は、台座２及び筺体４を右前方から見た概略斜視図である。
なお説明の便宜上、筺体の右側面は、一点鎖線により仮想的に切除されている。
【００６６】
図６（ａ）に示すように、筺体４の、左右両側面の内側には、巻出しローラーＲ１及び巻取りローラーＲ２を支持する一対の支持部材Ｓ１及びＳ２が設けられている（右側面内側に設けられた支持部材Ｓ１及びＳ２は点線で示している。）。
詳述すれば、一対の支持部材Ｓ１及びＳ２には、載置溝Ｓ１ａ及びＳ２ａが形成されており、この載置溝Ｓ１ａ及びＳ２ａに、巻出しローラーＲ１及び巻取りローラーＲ２の筒状突起Ｒ１２ａ及びＲ２２ａを載置することで、巻出しローラーＲ１及び巻取りローラーＲ２が回転可能な状態で支持される。
【００６７】
一対の支持部材Ｓ２において、左側面に設けられた支持部材Ｓ２には、第二モータ７ｂに止着されたギアＧ３が露出している。また、ギアＧ３は、第二モータ７ｂの回転に同期して回転する。
このような構成により、第二モータ７ｂの回転が、ギアＧ３及びギアＧ４を介して巻取りローラーＲ２に伝達され、第二モータ７ｂの回転に同期して、処理シート１の巻き取り動作が行われる。
【００６８】
図６（ａ）において、処理シート１が巻き回された巻出しローラーＲ１を、筺体４の開放口４ｂに挿通させ、一対の支持部材Ｓ１に載置し（矢印ｃ参照）、巻取りローラーＲ２を筺体４の開放口４ｃに挿通させ、ギアＧ３とギアＧ４が噛合するように、一対の支持部材Ｓ２に載置する（矢印ｄ参照）ことで、図６（ｂ）に示すような状態となる。
【００６９】
以下、図７を用いて、処理シート1の、本実施形態に係るペット用トイレへの装着手順について説明する。
なお、図７は、本実施形態に係るペット用トイレのＡ−Ａ線断面図である。
【００７０】
まず、図７（ａ）の点線で示すように、巻出しローラーＲ１に巻き回された処理シート１を、上部挿通口４ａ１に挿通させ、筺体４の前方側の側面を覆うように下方に引き出した後、下部挿通口４ａ２に挿通させる。次に、このようにして引き出された処理シート１を、第一補助ローラーｒ１に係止させ、再び下部挿通口４ａ２に挿通させる。
【００７１】
ここで、図７（ａ）の点線で示すような装着が完了した後、台座２を、係止孔Ｈ及び係止突起Ｐを用いて、筺体４に係止させておく。
【００７２】
次に、図７（ｂ）の点線で示すように、処理シート１を、台座２に上方から覆い被せるように引き出した後、台座２の下方から下部挿通口４ａ２に挿通させる。次に、このようにして引き出された処理シート１を、第二補助ローラーｒ２と筺体４の底面の間を通るように引き出し、巻取りローラーＲ２に接着させる。
【００７３】
上記のように、処理シート１を装着した後、台座２を、筺体４から取り外し、センターフレーム３に載置し直すことで、図１に示すような状態となる。
なお、図１に示すような状態において、巻出しローラーＲ１、巻取りローラーＲ２、第一補助ローラーｒ１、第二補助ローラーｒ２及び第三補助ローラーｒ３の回転軸線は、全て互いに平行である。
【００７４】
以下、図８及び図９を用いて、本実施形態に係るペット用トイレの使用方法について説明する。
なお、図８及び図９は、本実施形態に係るペット用トイレ全体を前後方向に沿って切断し、右方から見た際の断面図である。
【００７５】
まず、ペット（図示せず）が、処理シート１が敷設された台座２に乗り、糞Ｄや尿（図示せず）の排泄を行った後、台座２から降りる一連の動作を行う（図８（ａ）の状態）。この動作を受けて、感圧センサＳが、制御部１０へ、巻取りローラーＲ２の回転動作を開始する信号及び糞回収部５を開状態とする信号を発信する。
【００７６】
これにより、巻取りローラーＲ２が、第二モータ７ｂによって後方に回転し、処理シート１が巻取りローラーＲ２に巻き取られることで、糞Ｄや尿（図示せず）が前方側に移動する。また、巻取りローラーＲ２の回転と同時に、ドア部５ｂが、第一モータ７ａにより前方に回転し、糞回収部５が開状態となる。よって、前方側に移動した糞Ｄは、最終的に回収トレイ５ｄに落下する（図８（ｂ）の状態）。このとき、例えば糞Ｄの水分量が多く、処理シート１に吸着しているような場合であっても、ブレード５ｃにより、糞Ｄが処理シート１から引き剥がされ、回収トレイ５ｄに落下する。
さらに、処理シート１に染み込んだ尿（図示せず）は、巻取りローラーＲ２がさらに回転することで、台座２の底面を通り、巻取りローラーＲ２に巻き回されて回収される。
【００７７】
次に、読み取りセンサ８が、読み取りマークＭを介して、処理シート１が巻取りローラーＲ２に所定の長さ巻き回されたことを検知すると、制御部１０へ巻取りローラーＲ２の回転動作を中止する信号及び糞回収部５を閉状態とする信号を発信する。
【００７８】
これにより、第二モータ７ｂの回転が停止し、巻取りローラーＲ２の回転動作が中止される。また、ドア部５ｂが、第一モータ７ａにより後方に回転し、糞回収部５が閉状態となる（図９（ａ）の状態）。
【００７９】
上記した一連の動作が繰り返されることで、糞Ｄは、糞回収部５の内部に溜まっていくこととなる。このため、飼い主は、適宜回収トレイ５ｄを本体部５ａから引き出し、糞Ｄを処理することで、糞回収部５の内部を空にする。
【００８０】
また、上記した一連の動作が繰り返されることで、巻出しローラーＲ１に巻き回された処理シート１の大部分は、巻取りローラーＲ２へ巻き回されることとなる。このとき、読み取りセンサ８が、読み取りマークＭを介して、処理シート１が巻取りローラーＲ２に巻き回された合計の長さを読み取り、処理シート１を使い切る直前の状態を読み取る。そして、この状態を読み取った読み取りセンサ８は、制御部１０へ発光体９を点灯させる信号を発信する。
【００８１】
これにより、発光体９が点灯することで、飼い主へ、処理シート１の交換が必要であることが通知される（図９（ｂ）の状態）
【００８２】
なお、処理シート１の交換は、以下の手順で行う。
まず、使用後の処理シート１を、台座２の上面等、任意の位置で切断し、巻出しローラーＲ１から、使用後の処理シート１の切れ端を取り外す。こうすることで、使用後の処理シート１は、巻出しローラーＲ１に一切巻き回されていない状態となる。
【００８３】
次に、使用後の処理シート１が巻き回された巻取りローラーＲ２を、開放口４ｃを介して、外部に取り出し、一対のキャップＲ２２を取り外して破棄した後、巻出しローラーＲ１を、ギアＧ３とギアＧ４とが噛合されるように、一対の支持部材Ｓ２に載置する。
【００８４】
次に、使用前の処理シート１が巻き回された別の巻出しローラーＲ１に一対のキャップＲ２２を取り付け、開放口４ｂを介して、一対の支持部材Ｓ１に載置した後、切れ端の一端辺と、使用前の処理シート１の始端辺と、をテープ等の接着手段により連結する。
【００８５】
次に、使用前の処理シート１を、図７に示した手順で、台座２に装着し、使用前の処理シート１に連結された切れ端の他端辺を、一対の支持部材Ｓ２に載置された巻出しローラーＲ１に、テープ等の接着手段により連結する。
【００８６】
このようにすることで、処理シート１が交換され、再度、図１に示すような状態とすることができる。
【００８７】
本実施形態によれば、排泄物を回収する排泄物回収部として、尿（図示せず）を回収する巻取りローラーＲ２と、糞Ｄを回収する糞回収部５と、を有することで、糞Ｄが、巻取りローラーＲ２に巻き回されず、糞回収部５に回収されるため、処理シート１の破断を抑制することが可能となる。また、使用後の処理シート１の重量も増大しにくくなるため、処理シート１の交換を容易に行うことが可能となる。さらに、糞Ｄと尿（図示せず）が別々に回収されることで、悪臭の発生も抑制することが可能となる。
【００８８】
また、糞回収部５が、処理シート１と幅方向で接するブレード５ｃを有していることで、例えば水分量が多く、処理シート１に吸着してしまうような糞Ｄであっても、手で触れることなく処理シート１から引き剥がし、糞回収部５に収容させることが可能となる。
【００８９】
また、糞回収部５が、略透明であることで、糞回収部５の内部の糞Ｄの有無を外側から容易に視認することが可能となる。
【００９０】
また、巻出しローラーＲ１及び巻取りローラーＲ２を同一空間内に収容する筺体４を備えていることで、本実施形態に係るペット用トイレ全体をコンパクトにすることができ、扱いやすさ及び設置位置の自由度を向上させることが可能となる。
【００９１】
また、筺体４が、処理シート１の幅方向と略平行に、かつ台座２に対して略垂直に立設された側壁部４ａを有し、側壁部４ａの上方に、処理シート１が挿通される上部挿通口４ａ１が設けられていることで、側壁部４ａを覆うようにして処理シート１を装着させることができる。これにより、壁に向かって尿をかける習性のあるペットの尿を、処理シート１により受け止めて回収することが可能となる。
【００９２】
また、筺体４に、巻出しローラーＲ１及び巻取りローラーＲ２の出し入れを行うための開放口４ｂ及び４ｃが形成されていることで、処理シート１の交換を、簡便な動作で手早く行うことが可能となる。
【００９３】
また、台座２が、側壁部４ａに対して着脱可能であることで、処理シート１の台座２への装着や台座２の清掃を容易に行うことが可能となる。
【００９４】
また、台座２に負荷された重量により、排泄物の有無を感知する感圧センサＳを備えていることで、飼い主が家を留守にしている場合等、長時間ペットを放置する場合であっても、自動で排泄物を巻取りローラーＲ２及び糞回収部５に回収させることが可能となる。
【００９５】
また、筺体４の左側面に、処理シート１が巻取りローラーＲ２に巻き取られた長さを読み取る読み取りセンサ８を備えていることで、処理シート１の無駄遣いを防止することが可能となる。
【００９６】
また、処理シート１の交換時期を通知する通知手段として、発光体９を備えていることで、飼い主は、処理シート１の状態を確認することなく、交換の要否を即座に視認することが可能となる。
【００９７】
なお、前記実施形態において示した各構成部材の諸形状や寸法等は一例であって、設計要求等に基づき種々変更可能である。
【符号の説明】
【００９８】
１  処理シート
２  台座
３  センターフレーム
４  筺体
５  糞回収部
６  フロントフレーム
７  モータ部
８  読み取りセンサ
９  発光体
１０  制御部
１１  土台
Ｓ  感圧センサ
Ｃ  接続ケーブル
Ｈ  係止孔
Ｐ  係止突起
Ｔ  貫通孔
Ｒ１  巻出しローラー
Ｒ２  巻取りローラー
ｒ１  第一補助ローラー
ｒ２  第二補助ローラー
ｒ３  第三補助ローラー
Ｂ１  第一ブラケット
Ｂ２  第二ブラケット
Ｓ１、Ｓ２  支持部材
Ｇ１、Ｇ２、Ｇ３、Ｇ４  ギア
糞  Ｄ
【図１】
2019122299.tif 000003
【図２】
2019122299.tif 000004
【図３】
2019122299.tif 000005
【図４】
2019122299.tif 000006
【図５】
2019122299.tif 000007
【図６】
2019122299.tif 000008
【図７】
2019122299.tif 000009
【図８】
2019122299.tif 000010
【図９】
2019122299.tif 000011
【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
ペットの排泄物を処理する帯状の処理シートと、前記処理シートを巻き出す巻出しローラーと、前記処理シートが敷設される台座と、前記排泄物を回収する排泄物回収部と、筺体と、を備え、
前記排泄物回収部は、尿を回収する巻取りローラーと、糞を回収する糞回収部と、を有し、
前記筺体の内部空間には、前記巻出しローラーと前記巻取りローラーと、が設けられ、
前記筺体は、前記処理シートの幅方向と略平行に、かつ前記台座に対して略垂直に立設された側壁部を有し、
前記側壁部の上方には、前記処理シートが挿通される挿通口が設けられ
前記台座は、前記筺体の外部に隣接して設けられ、
前記台座の下方には、前記処理シートが通過する空間が設けられていることを特徴とするペット用トイレ。
【請求項２】
前記筺体は、前記処理シートの幅方向と略平行に、かつ前記台座に対して略垂直に立設された側壁部を有し、
前記筺体の内部空間には、前記処理シートが巻き掛けられる第一補助ローラーが設けられ、
前記側壁部には、その下方に、前記処理シートが挿通される下部挿通口が設けられ、
前記第一補助ローラーには、前記下部挿通口を介して前記処理シートが巻き掛けられていることを特徴とする、請求項１に記載のペット用トイレ。
【請求項３】
前記巻出しローラーは、前記第一補助ローラーの上方に配置され、
前記巻取りローラーは、前記第一補助ローラーの後方に配置されていることを特徴とする、請求項２に記載のペット用トイレ。
【請求項４】
前記巻取りローラーの下方に、前記処理シートが巻き掛けられる第二補助ローラーが設けられていることを特徴とする、請求項３に記載のペット用トイレ。
【請求項５】
前記台座の幅方向と前記第一補助ローラーの軸方向とは、略平行であり、
前記台座の下面から前記台座の上面までの鉛直距離と前記台座の下面から前記第一補助ローラーの下端までの鉛直距離とは、略同一であることを特徴とする、請求項２〜４の何れかに記載のペット用トイレ。
【請求項６】
前記台座の前方側の端部には、前記処理シートが巻き掛けられる第三補助ローラーが設けられていることを特徴とする、請求項１〜５の何れかに記載のペット用トイレ。
【請求項７】
前記筺体は、前記巻出しローラー及び前記巻取りローラーの出し入れを行うための開放口が形成されてなることを特徴とする、請求項１〜６の何れかに記載のペット用トイレ。
【請求項８】
前記糞回収部には、前記処理シートと幅方向で接するブレードが設けられていることを特徴とする、請求項１〜７の何れかに記載のペット用トイレ。
【請求項９】
前記糞回収部は、略透明であることを特徴とする、請求項１〜８の何れかに記載のペット用トイレ。
【請求項１０】
前記台座は、前記側壁部に対して着脱可能であることを特徴とする、請求項２〜９の何れかに記載のペット用トイレ。
【請求項１１】
前記台座に負荷された重量により、排泄物の有無を感知する感圧センサを備えていることを特徴とする、請求項１〜１０の何れかに記載のペット用トイレ。
【請求項１２】
前記処理シートが前記巻取りローラーに巻き取られた長さを読み取る読み取りセンサを備えていることを特徴とする、請求項１〜１１の何れかに記載のペット用トイレ。
【請求項１３】
前記処理シートの交換時期を通知する通知手段を備えていることを特徴とする、請求項１〜１２の何れかに記載のペット用トイレ。